【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
a)前記測位部及び前記３次元方位検知部により得られた情報に基づいて、前記撮像部による撮影の光軸の方向を算出する光軸方向算出部と、
b)前記通信部により得られた目的とする気象情報である気象関連指標値の地域的分布情報に基づいて、少なくとも、前記光軸方向算出部により算出された光軸方向の情報から求まる前記撮像部による撮影範囲に対応した単位区域毎の気象関連指標値を反映した模擬画像を３次元空間に射影した仮想画像を作成する仮想画像作成部と、
c)前記仮想画像作成部により作成された前記撮像部による撮影範囲内の前記仮想画像を、前記撮像部により得られている実写画像と合成して、前記表示部の画面上に表示する画像合成部と、
を備えることを特徴とする気象情報提供装置。
【請求項２】
請求項１に記載の気象情報提供装置であって、
前記目的とする気象情報は単位区域毎の降水量を示す降水量分布データであり、
前記仮想画像作成部は、単位区域毎の降水量に対応する雲の状態又は降雨の状態の少なくとも一方を表す模擬画像を３次元空間に射影した仮想画像を作成することを特徴とする気象情報提供装置。
【請求項３】
請求項１又は２に記載の気象情報提供装置であって、
前記仮想画像作成部は前記仮想画像として動画像を作成し、前記画像合成部は、その仮想的な動画像を実写画像と合成して前記表示部の画面上に表示することを特徴とする気象情報提供装置。
【請求項４】
表示画面を有する表示部、外部からの情報を受信する通信部、所定範囲の画像を撮影する撮像部、現在位置を認識する測位部、方角及び当該装置の水平状態からの傾きを検知する３次元方位検知部、及び、それら各部の制御及びデータ処理を担うコンピュータ、を具備する情報端末装置を、気象情報提供装置として機能させるべく、前記コンピュータを動作させるプログラムであって、
a)前記測位部及び前記３次元方位検知部により得られた情報に基づいて、前記撮像部による撮影の光軸の方向を算出する光軸方向算出ステップと、
b)前記通信部により得られた目的とする気象情報である気象関連指標値の地域的分布情報に基づいて、少なくとも、前記光軸方向算出ステップにおいて算出された光軸方向の情報から求まる前記撮像部による撮影範囲に対応した単位区域毎の気象関連指標値を反映した模擬画像を３次元空間に射影した仮想画像を作成する仮想画像作成ステップと、
c)前記仮想画像作成ステップにおいて作成された前記撮像部による撮影範囲内の前記仮想画像を、前記撮像部により得られている実写画像と合成して、前記表示部の画面上に表示する画像合成ステップと、
を含むことを特徴とする気象情報提供用プログラム。
【請求項５】
請求項４に記載の気象情報提供用プログラムであって、
前記目的とする気象情報は単位区域毎の降水量を示す降水量分布データであり、
前記仮想画像作成ステップでは、単位区域毎の降水量に対応する雲の状態又は降雨の状態の少なくとも一方を表す模擬画像を３次元空間に射影した仮想画像を作成することを特徴とする気象情報提供用プログラム。
【手続補正２】
【補正対象書類名】明細書
【補正対象項目名】０００６
【補正方法】変更
【補正の内容】
【０００６】
なお、本明細書における情報端末装置とは、上述したスマートフォン等の携帯電話端末、タブレット型パーソナルコンピュータを含むタブレット型情報端末のほか、無線通信機能を搭載した、音楽プレーヤ端末、デジタルカメラ、携帯型ゲーム機、ＰＤＡ（Personal Digital Assistant）などの各種機器を含む。また、必ずしも利用者自身が携帯したり身に付けたりするものに限らず、例えば利用者が乗車している自動車やオートバイ、或いは自転車などの車輌に据え付けられていて移動自在である機器も含むものとする。
【手続補正３】
【補正対象書類名】明細書
【補正対象項目名】００１０
【補正方法】変更
【補正の内容】
【００１０】
また上記課題を解決するために成された本発明に係る気象情報提供用プログラムは、表示画面を有する表示部、外部からの情報を受信する通信部、所定範囲の画像を撮影する撮像部、現在位置を認識する測位部、方角及び当該装置の水平状態からの傾きを検知する３次元方位検知部、及び、それら各部の制御及びデータ処理を担うコンピュータ、を具備する情報端末装置を、気象情報提供装置として機能させるべく、前記コンピュータを動作させるプログラムであって、
a)前記測位部及び前記３次元方位検知部により得られた情報に基づいて、前記撮像部による撮影の光軸の方向を算出する光軸方向算出ステップと、
b)前記通信部により得られた目的とする気象情報である気象関連指標値の地域的分布情報に基づいて、少なくとも、前記光軸方向算出ステップにおいて算出された光軸方向の情報から求まる前記撮像部による撮影範囲に対応した単位区域毎の気象関連指標値を反映した模擬画像を３次元空間に射影した仮想画像を作成する仮想画像作成ステップと、
c)前記仮想画像作成ステップにおいて作成された前記撮像部による撮影範囲内の前記仮想画像を、前記撮像部により得られている実写画像と合成して、前記表示部の画面上に表示する画像合成ステップと、
を含むことを特徴としている。
【手続補正４】
【補正対象書類名】明細書
【補正対象項目名】００１１
【補正方法】変更
【補正の内容】
【００１１】
本発明に係る気象情報提供装置及び本発明に係る気象情報提供用プログラムが搭載された情報端末装置において、上記測位部は、ＧＰＳ（Global Positioning System）を用いた現在位置計測、或いは、無線ＬＡＮ（Local Area Network）アクセスポイントからの電波を利用した位置計測（一般には「ＷｉＦｉ測位」などと呼ばれる）、などを利用したものとすることができる。また、上記３次元方位検知部は、地球の重力加速度を計測する加速度センサや地磁気を検知する地磁気センサなどを用いたものとすることができる。
【手続補正５】
【補正対象書類名】明細書
【補正対象項目名】００１４
【補正方法】変更
【補正の内容】
【００１４】
通信部は上記通信網を介して外部から気象情報、具体的には気象関連指標値の地域的分布情報を受け取る。なお、通信部は、その気象情報提供装置が在る位置周辺のみならず、広範囲に亘る気象関連指標値の地域的分布情報を受け取り、当該装置内で、現在位置から適宜の距離内に限定した地域的分布情報を抽出してもよい。或いは、現在位置から所定半径内に限定された地域的分布情報のみを前記通信部により受け取る、つまり気象情報を受信する段階で地域的分布情報が限定されているようにしてもよい。後者の方法によれば、通信部を通して受け取るデータ量が少なくて済む。
【手続補正６】
【補正対象書類名】明細書
【補正対象項目名】００１５
【補正方法】変更
【補正の内容】
【００１５】
仮想画像作成部は、通信部を通して受け取った気象関連指標値の地域的分布情報に基づいて、格子状に配置された単位区域毎の気象関連指標値を反映した模擬画像をそれぞれ求める。このとき、撮像部の光軸方向の情報に基づいて判明する撮影範囲（現在位置から見た特定の方向のみ）に含まれる単位区域についてのみ模擬画像を求めてもよいし、或いは、現在位置から見た周囲全体（つまり周囲３６０°の角度範囲）について単位区域毎に模擬画像を求めてもよい。模擬画像は気象情報の種類、例えば降水量、雷発生頻度等に応じて予め決めておけばよいが、通信部を通して気象情報とともにその模擬画像の情報も取得するようにしてもよい。
【手続補正７】
【補正対象書類名】明細書
【補正対象項目名】００１６
【補正方法】変更
【補正の内容】
【００１６】
単位区域毎の模擬画像が得られたならば、仮想画像作成部はさらに、撮像部の光軸方向の情報を利用して、単位区域毎の模擬画像を３次元空間に射影した仮想画像を作成する。撮影範囲（現在位置から見た特定の方向のみ）に含まれる単位区域についてのみ模擬画像が求められている場合には、その範囲についてのみ仮想画像を作成すればよいし、現在位置から見た周囲全体について模擬画像が求められている場合には、周囲全体について仮想画像を作成すればよい。後者の場合には、その時点で撮像部により撮影されていない部分の仮想画像も作成されることになる。
【手続補正８】
【補正対象書類名】明細書
【補正対象項目名】００３１
【補正方法】変更
【補正の内容】
【００３１】
位置・３次元方位演算部１５１は、ＧＰＳ受信部１０により得られる信号に基づいて、本装置１の現在位置、つまり経度・緯度を求める。この現在位置の把握は所定時間間隔で繰り返し実行されるから、例えば本装置１を持った利用者が移動している場合には、その移動に伴う最新の現在位置が常に把握される。いま、図２（ａ）に示すように、利用者が居る３次元空間を互いに直交するｘ、ｙ、ｚの３軸で表すものとする。このとき、利用者の現在位置はその３次元空間の原点Ｏである。
【手続補正９】
【補正対象書類名】図面
【補正対象項目名】図８
【補正方法】変更
【補正の内容】
【図８】
2014240754.tif 000001